(57)【要約】【課題】電子レンジによる加熱時に生じる蒸気をこもらせることのない小さなケース１により、自立性の向上は元より、開封容易でそのまま喫食に供することができる電子レンジ加熱対応包装体を提供する。【解決手段】左右側縁の折り部１０，１１を介して折り畳まれた筒状に連なる前面板３および背面板４ａと、前面板３および背面板４ａの下部間に連接された底面板とを有するケース１に、蒸気抜き部１６を有する電子レンジ加熱用のスタンディングパウチ２を、蒸気抜き部１６が設けられた上部を前面板３および背面板４ａより上方に露出させた状態で、前面板３と背面板４ａ間に挿入して底面板上に載置して収容する。【選択図】図１
0003118609.tif 000002
【実用新案登録請求の範囲】
【請求項１】
左右側縁の折り部を介して折り畳まれた筒状に連なる前面板および背面板と、前面板および背面板の下部間に連接された底面板とを有するケースに、蒸気抜き部を有する電子レンジ加熱用のスタンディングパウチを収容した電子レンジ加熱対応包装体であって、スタンディングパウチが、蒸気抜き部が設けられた上部を前面板および背面板より上方に露出させた状態で、前面板と背面板間に挿入されて底面板上に載置されていることを特徴とする電子レンジ加熱対応包装体。
【請求項２】
少なくとも左右いずれか一方の側縁の折り部に隣接または接近して、内側に押し込み可能な摘み部が設けられていることを特徴とする請求項１に記載の電子レンジ加熱対応包装体。
【請求項３】
摘み部が、隣接する側縁の折り部をヒンジ部とし、切り離しラインまたは切り離しラインと打ち抜き部で、内側に押し込み可能に区画された前面板または背面板の領域であることを特徴とする請求項２に記載の電子レンジ加熱対応包装体。
【請求項４】
摘み部に、断熱材が付設されていることを特徴とする請求項２または３に記載の電子レンジ加熱対応包装体。
【請求項５】
摘み部に対向する前面板または背面板の領域にも断熱材が付設されていることを特徴とする請求項４に記載の電子レンジ加熱対応包装体。
【請求項６】
底面板が、前面板と背面板間の中間部で上方に山形に折られており、この底面板が、スタンディングパウチ底部の凹部内に差し込まれていることを特徴とする請求項１〜５のいずれか１項に記載の電子レンジ加熱対応包装体。
【請求項７】
底面板が、前面板または背面板のいずれか一方から延出し、他方から延出した底面板接続片の下面に接合されており、しかも底面板接続片の先端が、底面板の頂部よりも上方に突出していることを特徴とする請求項６に記載の電子レンジ加熱対応包装体。
【請求項８】
前面板と背面板の中央部を縦断して逆Ｙ字形のエンボスラインが形成されていることを特徴とする請求項１〜７のいずれか１項に記載の電子レンジ加熱対応包装体。
【請求項９】
前面板および背面板の上部左右のコーナー部が切り落とされていることを特徴とする請求項１〜８のいずれか１項に記載の電子レンジ加熱対応包装体。
【請求項１０】
前面板と背面板の上部がスタンディングパウチに接着されていることを特徴とする請求項１〜９のいずれか１項に記載の電子レンジ加熱対応包装体。
【考案の詳細な説明】
【技術分野】
【０００１】
本考案は、直接電子レンジで加熱することができる食品包装体に関する。さらに詳しくは、蒸気抜き部を有する電子レンジ加熱用のスタンディングパウチをケースに収納した電子レンジ加熱対応包装体に関する。
【背景技術】
【０００２】
従来、電子レンジ加熱対応包装体としては、前面板、背面板、底面板および蓋板を備えたケースで、蒸気抜き部を有する電子レンジ加熱用のスタンディングパウチを包み込んだものが知られている（実開平５−７１１７８号公報）。
【考案の開示】
【考案が解決しようとする課題】
【０００３】
しかしながら、上記従来の電子レンジ加熱対応包装体の場合、電子レンジによる加熱時に蒸気抜き部から放出される蒸気がケース内にこもり、特に紙製のケースの場合に腰がなくなり、取り出し時に変形しやすい問題がある。加えて、加熱後の開封時に、まずケースを開封してからスタンディングパウチを開封しなければならず、手間がかかると共に、スタンディングパウチを覆うためにケースが大きくなり、ケースの材料代が高くつく問題もある。
【０００４】
また、上記従来の電子レンジ加熱対応包装体は、電子レンジ加熱時の自立性を高めることを主目的としたもので、それ以外の目的にケースを使用することはほとんど考慮されておらず、ケースを設けたことによる利便性の向上度合いが低い問題もある。
【０００５】
本考案は、上記従来の問題点に鑑みてなされたもので、電子レンジによる加熱時に生じる蒸気をこもらせることのない小さなケースにより、自立性の向上は元より、開封容易でそのまま喫食に供することができる電子レンジ加熱対応包装体を提供することを目的とする。
【課題を解決するための手段】
【０００６】
本考案は、上記目的のために、左右側縁の折り部を介して折り畳まれた筒状に連なる前面板および背面板と、前面板および背面板の下部間に連接された底面板とを有するケースに、蒸気抜き部を有する電子レンジ加熱用のスタンディングパウチを収容した電子レンジ加熱対応包装体であって、スタンディングパウチが、蒸気抜き部が設けられた上部を前面板および背面板より上方に露出させた状態で、前面板と背面板間に挿入されて底面板上に載置されていることを特徴とする電子レンジ加熱対応包装体を提供するものである。
【０００７】
また、上記本考案は、少なくとも左右いずれか一方の側縁の折り部に隣接または接近して、内側に押し込み可能な摘み部が設けられていること、
摘み部が、隣接する側縁の折り部をヒンジ部とし、切り離しラインまたは切り離しラインと打ち抜き部で、内側に押し込み可能に区画された前面板または背面板の領域であること、
摘み部に、断熱材が付設されていること、
摘み部に対向する前面板または背面板の領域にも断熱材が付設されていること、
底面板が、前面板と背面板間の中間部で上方に山形に折られており、この底面板が、スタンディングパウチ底部の凹部内に差し込まれていること、
底面板が、前面板または背面板のいずれか一方から延出し、他方から延出した底面板接続片の下面に接合されており、しかも底面板接続片の先端が、底面板の頂部よりも上方に突出していること、
前面板と背面板の中央部を縦断して逆Ｙ字形のエンボスラインが形成されていること、
前面板および背面板の上部左右のコーナー部が切り落とされていること、
前面板と背面板の上部がスタンディングパウチに接着されていること、
をその好ましい態様として含むものである。
【考案の効果】
【０００８】
本考案の電子レンジ加熱対応包装体は、スタンディングパウチをケースに収容したもので、ケースによって自立性が持たされているので、安定性良く電子レンジ内に立てて加熱することができる。
【０００９】
本考案の電子レンジ加熱対応包装体においては、蒸気抜き部が設けられたスタンディングパウチの上部が前面板および背面板より上方に露出しているので、電子レンジ加熱時に蒸気抜き部から放出される蒸気は直接包装体外に排出され、ケース内にこもることがない。また、ケースは、スタンディングパウチの上部が前面板および背面板より上方に露出しているハーフタイプのものでよく、スタンディングパウチ全体を覆うケースに比してコストを下げることができる。
【００１０】
本考案の電子レンジ加熱対応包装体は、上部が当初から露出しているので、電子レンジ加熱後、直ちにスタンディングパウチを開封することができる。スタンディングパウチの開封は、その上部を切り取ることで行われるが、上部が切り取られたスタンディングパウチの大部分がケースに収納された状態とすることができ、ケースによって見栄えの悪さを隠すことができる。また、卓上に置いた時の安定性もケースによって維持できるので、内容物を食器に移し換えることなく、そのまま喫食に供することも可能となる。
【考案を実施するための最良の形態】
【００１１】
図１〜図５に基づいて本考案をさらに説明する。
【００１２】
図１は、本考案に係る電子レンジ加熱対応包装体の一例を示す前面側斜視図、図２は、本考案に係る電子レンジ加熱対応包装体の一例を示す後面側斜視図、図３は、ケースの展開図、図４は、電子レンジ加熱用のスタンディングパウチとケースの分離状体の断面図、図５は、電子レンジ加熱用のスタンディングパウチをケースに収容した状態の断面図である。
【００１３】
図１および図２に示されるように、本電子レンジ加熱対応包装体は、ケース１と、電子レンジ加熱用のスタンディングパウチ２とを備えたものとなっている。
【００１４】
ケース１は、通常、厚紙で構成されるものであるが、段ボールや合成樹脂発泡体シートなどの断熱材を用いて構成することもできる。また、ケース１は、図３にも示されるように、前面板３、背面板４ａ，４ｂ、底面板５、底面板接続片６を備えたものとなっている。
【００１５】
前面板３は、ケース１の前面を構成するもので、前面板３の中央部を縦断して、逆Ｙ字形のエンボスライン７ａが形成されている。このエンボスライン７ａは、電子レンジ加熱によってスタンディングパウチ２が膨らんだ時に、それに追従して前面板３を外方へ膨出しやすくするためのものである。
【００１６】
前面板３の下縁中央部から、前面下縁の折り部８を介して底面板５が外方へ延出している。この底面板５のほぼ中央を横断して、底面板５を山折りするための山折り部９が設けられている。また、前面板３の左右には、左右側縁の折り部１０，１１を介して背面板４ａ，４ｂが連接されている。
【００１７】
背面板４ａ，４ｂは、ケース１の背面を構成するもので、背面板４ａには、前面板３と同様に、中央部を縦断する逆Ｙ字形のエンボスライン７ｂが形成されている。このエンボスライン７ｂは、電子レンジ加熱によってスタンディングパウチ２が膨らんだ時に、それに追従して背面板４ａを外方へ膨出しやすくするためのものである。
【００１８】
背面板４ａ，４ｂは、それぞれ左右側縁の折り部１０，１１を介して前面板３と重なる方向に折り返され、端部同士が接合されて、ケース１の周側部を形成する。すなわち、前面板３と背面板４ａ，４ｂは、左右側縁の折り部１０，１１を介して折り畳まれた筒状に連ねられてケース１の周側を構成するものとなっている。
【００１９】
また、背面板４ａの下縁からは、背面板４ａを左側縁の折り部１０を介して前面板３上に折り返した時に底面板５と重なる位置に、後面下縁の折り部１２を介して底面板接続片６が延出している。底面板接続片６は、前面板３から延出している底面板５と接合することにより、底面板５を背面板４ａへ連接するためのものであるが、単なる糊代としての長さより長く延出している。
【００２０】
さらに説明すると、底面板５は、図４に示されるように、前面下縁の折り部８を介してケース１の内側に折り込まれ、山折り部９を介して、前面板３と背面板４ａ間の中間部で上方に山形に折られる。底面板接続片６は、後面下縁の折り部１２を介してケース１の内側へ折り込まれ、前面板３側から延出した底面板５が、底面板接続片６の下面に接合されて、前面板３と背面板４ａ間に連接される。この時、底面板接続片６の先端部は、山形に折られた底面板５の頂部よりも上方に突出するものとなっている。このようにすると、スタンディングパウチ２をケース１内に収容した時に、図５に示されるように、底面板接続片６の先端部がスタンディングパウチ２の重量で下方へ押し下げられ、同時に底面板５を下方へ押し、山形に折られた底面板５を押し広げてケース１の底面を広げ、ケース１の自立性を高めることができる。
【００２１】
なお、上記底面板５と底面板接続片６の位置は入れ替えることができる。つまり、底面板５を背面板４ａから延出させ、底面板接続片６を前面板３から延出させることもできる。
【００２２】
図２および図３に示されるように、左右側縁の折り部１０，１１に隣接または接近して、内側に押し込み可能な摘み部１３，１３が設けられている。本例においては、摘み部１３，１３が背面板４ａ，４ｂに設けられているが、前面板３に設けることもできる。また、左右いずれか一方の側縁の折り部１０，１１側にのみ設けることもできる。
【００２３】
この摘み部１３，１３は、特に電子レンジ加熱後に本包装体を持つ時に、摘み部１３，１３を指で押して内側に押し込み、摘み部１３，１３と前面板３との間（摘み部１３，１３を前面板３に設けた場合には背面板４ａ，４ｂとの間）にスタンディングパウチ２の側縁部を挟み付けた状態で持つことができ、安定した状態で持つことができると共に、加熱されたスタンディングパウチ２に直接触れることによる火傷も防止することができる。
【００２４】
本例の摘み部１３，１３は、隣接する左右側縁の折り部１０，１１をヒンジ部とし、切り離しライン１４，１４と打ち抜き部１５，１５で、内側に押し込み可能に区画された前背面板４ａ，４ｂの領域となっている。このようにすると、摘み部１３，１３の打ち抜き部１５，１５側を指先で押すことで、打ち抜き部１５，１５に切り離しライン１４，１４が達している箇所を起点にして切り離しライン１４，１４を切り離し、隣接する左右側縁の折り部１０，１１をヒンジ部として、容易に摘み部１３，１３を内側に押し込むことができる。
【００２５】
上記のように、打ち抜き部１５，１５を形成しておくと、切り離しライン１４，１４に沿った切り離しが行いやすくなるが、打ち抜き部１５，１５を省略して、打ち抜き部１５，１５部分をも切り離しライン１４，１４で構成することもできる。なお、切り離しライン１４，１４は、例えばハーフカットライン、ミシン目、断続的スリットなどで構成することができる。
【００２６】
電子レンジ加熱後に摘み部１３，１３で持ちやすくするために、摘み部１３，１３の外面または内面に、例えば段ボール、合成樹脂発泡体シート、厚紙などの断熱材（図示されていない）を貼り付けておくことが好ましい。また、同時に、摘み部１３，１３が対向する前面板３の領域（摘み部１３，１３を前面板３に設けた場合には背面板４ａ，４ｂの領域）にも同様の断熱材を貼り付けておくことが好ましい。
【００２７】
ケース１に収納する電子レンジ加熱用のスタンディングパウチ２は、図１および図２に示されるように、電子レンジ加熱時に、内圧の上昇と共に自動的に開放されて内圧（蒸気）を外部に逃がすことのできる蒸気抜き部１６を有し、自立できる底面部を有する密閉袋である。本例における蒸気抜き部１６は、周縁シール部１７から内側に突出した弱シール部１８と、弱シール部１８まで切り込まれた切り込み部１９とで構成されている。この蒸気抜き部１６は、内圧の上昇によって弱シール部１８が剥離し、切り込み部１９の先端が開口して蒸気を逃がすものとなっている。また、切り込み部１９は、開封用のノッチをも兼ねたものとなっている。
【００２８】
スタンディングパウチ２は、図１、図２および図５に示されるように、ケース１の前面板３と背面板４ａ，４ｂ間に差し込まれ、底面板５上に載置されている。また、底面板５は、前述のように山形に折られており、スタンディングパウチ２の底部の凹部内に差し込まれている。底面板５を山形に折ってスタンディングパウチ２の底部の凹部内に差し込んでおくことで、スタンディングパウチ２の姿勢を安定させることができる。
【００２９】
図１〜図３に示されるように、ケース１の前面板３および背面板４ａ，４ｂの上部左右コーナー部は、切り落とされていることが好ましい。このコーナー部の切り落としは、斜め直線状であってもよいが、図示されるように、外方に凸の弧状に切り落とされていることが好ましい。このようなコーナー形状としておくことにより、ケース１内にスタンディングパウチ２を挿入する時に引っ掛かりにくくすることができ、挿入作業が行いやすくなる。また、コーナー部を含めて、ケース１の上縁全体が外方に凸の緩やかな弧状となるようにしても同様の効果が得られる。
【００３０】
ケース１の前面板３および背面板４ａ，４ｂは、上部をスタンディングパウチ２に接着しておくことが好ましい。前面板３および背面板４ａ，４ｂの上部をスタンディングパウチ２に接着しておくと、スタンディングパウチ２の上部を切り離して開封した後、開封部を開いた状態に維持しやすくなる。このため、内容物を食器に移さず、そのまま食卓に供する場合に、内容物を取り出しやすくなる。
【図面の簡単な説明】
【００３１】
【図１】本考案に係る電子レンジ加熱対応包装体の一例を示す前面側斜視図である。
【図２】本考案に係る電子レンジ加熱対応包装体の一例を示す後面側斜視図である。
【図３】ケースの展開図である。
【図４】電子レンジ加熱用のスタンディングパウチとケースの分離状体の断面図である。
【図５】電子レンジ加熱用のスタンディングパウチをケースに収容した状態の断面図である。
【符号の説明】
【００３２】
１    ケース
２    スタンディングパウチ
３    前面板
４ａ  背面板
４ｂ  背面板
５    底面板
６    底面板接続片
７ａ  エンボスライン
７ｂ  エンボスライン
８    前面下縁の折り部
９    山折り部
１０  左側縁の折り部
１１  右側縁の折り部
１２  後面下縁の折り部
１３  摘み部
１４  切り離しライン
１５  打ち抜き部
１６  蒸気抜き部
１７  周縁シール部
１８  弱シール部
１９  切り込み部
【図１】
0003118609.tif 000003
【図２】
0003118609.tif 000004
【図３】
0003118609.tif 000005
【図４】
0003118609.tif 000006
【図５】
0003118609.tif 000007